(57)【要約】      （修正有）【課題】球体が少なくとも１個以上配置され、その球体の表面側と裏面側にそれぞれ設けられた網状体ではさまれた形で保持され、人体に着装できる可撓性を有する網状健康具を提供する。【解決手段】網状健康具１には、球体２とその表面側と裏面側にそれぞれ設けられた網状体３によりはさまれた形で保持され、全体的には、網状健康具１が、人体に着装できる可撓性を有していると共に、球体２はトルマリン、または磁石、または炭、またはそれらの２〜３種類の混合物から構成され、網状体３は繊維または合成樹脂成形品で構成され、それに対し炭、等を含浸、または含有させることとした網状健康具。【選択図】図１
2005192953.tif 000002
【特許請求の範囲】
【請求項１】
網状健康具には、球体が少なくとも１個以上配置され、その球体の表面側と裏面側にそれぞれ設けられた網状体によりはさまれた形で保持され、該網状体を構成する縦と横の紐部で形成される開口の縦幅Ｂと横幅Ｗは、球体の相当直径Ｄに対し、（Ｄ×０．１）以上、（Ｄ×０．８）以下に構成されているため、紐部の構成する開口より、該球体は外側に抜け落ちないように構成されており、更に、球体と、隣接する球体との間には、縦糸と横糸が、縫製または接着等の結合手段により設けられ、表面側と裏面側にそれぞれ設けられた網状体を固定しており、球体は網状体と縦糸と横糸とによって構成された袋状空間に常に収納され、全体的には、網状健康具が、人体に着装できる可撓性を有していると共に、球体はトルマリン若しくはトルマリン含有物、または磁石若しくは磁石の含有物、または炭若しくは炭の含有物、またはそれらの２〜３種類の混合物から構成されている、と共に網状体は繊維または合成樹脂成形品で構成され、該繊維または該合成樹脂成形品に対し炭若しくは炭の含有物、またはトルマリン若しくはトルマリン含有物、または磁石若しくは磁石の含有物、またはそれらの２〜３種類の混合物を含浸、または含有させることにより、人体に対し健康増進効果等を与える網状健康具。
【請求項２】
前記球体の相当直径Ｄを２ｍｍ〜１５ｍｍとし、該球体は、トルマリン若しくはトルマリン含有物で構成される、と共に網状体は繊維または合成樹脂成形品で構成され、該繊維または該合成樹脂成形品に対し、炭若しくは炭の含有物を含浸、または含有させることにより、人体に対し健康増進効果等を与える請求項１記載の網状健康具。
【請求項３】
網状健康具を、人体の首部に着装し、本体部の一部に、首紐部と、頭紐部を設け、それぞれを面ファスナーまたはホック等の紐結合手段により首部、および頭部に固定する首用健康具であることを特徴とする請求項１または請求項２記載の網状健康具。
【請求項４】
網状健康具を、人体の腹部、または腕部、または足部、または頭部に着装することを着装することを特徴とする請求項１または請求項２記載の網状健康具。
【発明の詳細な説明】
【技術分野】
【０００１】  本発明は、繊維で構成された網状帯を人体の表面に巻付ける等の方法により着装する健康具に関するものである。
【背景技術】
【０００２】  従来、健康増進やダイエット、美容を目的として、首廻りや二の腕や腹部や足部等に巻付けて保温効果や、発汗効果を持たせたり、又は締付けたりして用い、その時のむれを防止するために網状にしたものが用いられてきた。【０００３】  しかし、それらは、単に保温効果を持たせることにより解決を図ろうとしてきたものであった。したがって布や、毛糸等で構成されたものであった。（例えば特許文献１参照。）
【特許文献１】特開平７−２１６６０６号
【０００４】  この特許文献１では、肩と首を保温効果により健康と美容に効果を発揮するという着眼点だけであり、もっと人の健康や美容に対し現代の最新の医学の技術的効果および機能を探求するに到っておらずその効果は非常に弱いものであった。
【発明の開示】
【発明が解決しようとする課題】
【０００５】  本発明は、これらの従来品の欠点を補い、人体に対しきわめて効果を有する構成を提供するものである。
【課題を解決するための手段】
【０００６】  上記の目的を達成するために、網状健康具には、球体が少なくとも１個以上配置され、その球体の表面側と裏面側にそれぞれ設けられた網状体によりはさまれた形で保持され、該網状体を構成する縦と横の紐部で形成される開口の縦幅Ｂと横幅Ｗは、球体の相当直径Ｄに対し、（Ｄ×０．１）以上、（Ｄ×０．８）以下に構成され、紐部の形成する開口より、該球体は外側に抜け落ちないように配置されている。【０００７】  更に、球体の隣接する球体との間には、縦糸と横糸が、縫製または接着等の結合手段により設けられ、表面側と裏面側にそれぞれ設けられた網状体を固定しており、球体は網状体と縦糸と横糸とによって構成された袋状空間に常に収納され、全体的には、網状健康具が、人体に着装できる可撓性を有している。【０００８】  球体はトルマリン若しくはトルマリン含有物、または磁石若しくは磁石の含有物、または炭若しくは炭の含有物、またはそれらの２〜３種類の混合物から構成されている、と共に網状体は繊維または合成樹脂成形品で構成され、それに対し炭若しくは炭の含有物、またはトルマリン若しくはトルマリン含有物、または磁石若しくは磁石の含有物、またはそれらの２〜３種類の混合物を含浸、または含有させることにより、人体に対し健康増進効果等を与える網状健康具を提供する。【０００９】  前記球体の相当直径Ｄを２ｍｍ〜１５ｍｍとし、該球体は、トルマリン若しくはトルマリン含有物で構成され、と共に網状体は繊維または合成樹脂成形品で構成され、それに対し、炭若しくは炭の含有物を含浸、または含有させることにより、人体に対し健康増進効果等を与える前記の網状健康具を提供する。【００１０】  網状健康具を、人体の首部に着装し、本体部の一部に、首紐部と、頭紐部を設け、それぞれを面ファスナーまたはホック等の結合手段により首部、および頭部に固定する首用健康具であることを特徴とする請求項１または請求項２記載の網状健康具を提供する。【００１１】  網状健康具を、人体の腹部、腕部、足部、または頭部に着装することを着装することを特徴とする上記の網状健康具を提供する。
【発明の効果】
【００１２】  本発明の網状健康帯１は、実施例および以下に述べるごとく、極めて大きな効果を得ることができる。【００１３】１）トルマリンにより、遠赤外線を放射し、それにより身体の深層部から細胞を温めて血行を良くする効果があり新陳代謝を活発化させ冷え性対策等に効果を発揮する。また、血流量を増加させることにより老廃物が排出され美肌効果が発揮される。【００１４】２）トルマリンにより、マイナスイオンが発生され、その効果は、疲労回復や除菌・防カビ作用が認められている。
マイナスイオンが多くなると血液のペーハーは弱アルカリ性となり、新陳代謝が活発化し、細胞の活性化を促し、ストレスを減少する等、精神を安定化させ、疲労回復効果すなわち自己治癒力が高まる効果がある。また活性酸素を消去し、電磁波を受けても人体への悪影響を減らすことができる。【００１５】３）トルマリンにより、東洋医学で認められているツボ押し効果を球体２により発揮させることができる。人間の身体には３６５のツボがあり、１２ある経路に沿って配列されている。ツボ治療では、「臓腑経路系による経穴理論」により、皮膚にいろいろな刺激を与えることで内臓の異常を整えることができるという効果を発揮するものである。これらは東洋医学として、科学的に認められたもので、まさに自然法則を利用したものといえるのである。【００１６】４）磁石の電磁場効果により上記１）〜３）のトルマリンによる効果と同様の効果を得ることができる。【００１７】５）網状体３の繊維に微細な炭を含浸、または含有させるか、または紐部８の繊維を炭素繊維で構成することにより、炭の有する効果を、更に組合せ、相乗効果を発揮することができる。【００１８】６）炭は、プラスイオンを吸収する効果があり、結果的にマイナスイオン効果を発揮することとなる。また炭は、その多孔質のため表面積が大きいため消臭効果や吸湿性に優れている。更にトルマリンと同様、遠赤外線の放射率が高く同様の効果を与えることができる。また抗菌性や防カビ効果も有している。【００１９】７）したがって、本発明の網状健康具１は、球体２の有する効果と網状体３の効果が組み合わさることにより、それぞれ単独で使用されるのに対し、マイナスイオンが相乗され、遠赤外線が相乗されることにより、それらが強化されあって働き、大きな効果が生まれることを発見することができたのである。【００２０】８）首用健康具１０により、基本実施例の有する効果を特に人体に影響力のある頭部に与えることができる極めて効果のある構成を提供することができる。
首部には、頚動脈を始め、各種神経系、リンパ系が集中しており、最も実施例１で述べた効果を発揮することができる。【００２１】９）首用健康具１０を巻きつけることにより、いびきを防ぐことができるのである。この効果は、今まで改善されてなかったいびき症の人、唾眠時無呼吸症候群の人等に、効果を発揮する。【００２２】１０）首用健康具１０により、女性にとっては、顔の肌の活性化を促す美容効果と、特に老化の目立つ首部のしわを伸ばす効果があり、健康と美容の両方に効果を発揮するものである。【００２３】１１）腹部に巻付けて同様の効果を発揮することができる。この場合は、球体２は胴体の全周にわたって配置しても良いし、腹部または背中部のみに配置しても良いし、腹部と背中部の両方に設け、球体２の使用数量を効果的に、節約することもできる。【００２４】１２）腕、特に二の腕に巻付けて、二の腕の脂肪を取り、スリムにする美容効果を得ることができる。【００２５】１３）頭部に、帽子状に構成することにより、頭部に対する前述した数種類の効果を与えることができ、特に頭皮の血行を、良くすることにより、脱毛防止、白髪防止の効果を与えることもできる。【００２６】１４）足の太腿部、または足首部に、巻付けることにより同様の効果に加え疲労回復の効果を発揮することができる。
【発明を実施するための最良の形態】
【００２７】  本発明は、人の健康を増進するための西洋医学および東洋医学の手法を取り入れ、もっとも人体の各部に効果のでる構造を提供するものである。
具体的には、下記の実施例により、開示する。【００２８】  なお、本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【基本実施例】
【００２９】  以下、基本実施例について図面を参照しながら説明する。
図１は本発明の基本実施例の構造の部分拡大正面図を示すもので、図２はそのＡ−Ａ断面を示す断面拡大図である。
【００３０】  本発明の網状健康帯１には、球体２が少なくとも１個以上配置され、それぞれの球体２はその球体２の表面側と裏面側にそれぞれ設けられた網状体３によりはさまれた形で、保持され、
該網状体３を構成する縦と横の紐部４の開口の縦幅Ｂと横幅Ｗは、球体１の外径もしくはいずれかの幅寸法の平均値である相当直径Ｄに対し、（Ｄ×０．１）以上、（Ｄ×０．８）以下に構成されているため、紐部の形成する開口より、前記球体２は外側に抜け落ちないように配置されている。
【００３１】  更に、球体２の隣接する球体２との間には、縦糸５と横糸６が、球体２が飛び出さないように、縫製または接着等の結合手段により設けられ、表面側と裏面側にそれぞれ設けられた網状体３を固定している。したがって球体２は網状体３と縦糸５と横糸６とによって構成された袋状空間に常に収納されており、全体的には、柔軟に曲げられる可撓性を有している。
【００３２】  更に網状体３のいずれかの端部には、必要により、縁カバー７が設けられ、縫込み糸もしくは接着等の縫合手段８により、全体の構成が壊れないように強度を持たせている。
【００３３】  上記の構成物を詳説すると、球体２は、その形状は、球、楕円球、円筒、多面体、角にＲを有する多面体等で構成される。
その相当直径Ｄは、本発明の望ましい構成においては、人体寸法や人体への効果を考慮し、Ｄ＝２〜１５ｍｍに構成されている。これは２ｍｍ未満であるとトルマリン等の効果が微弱になり、また、ツボ押し効果がなくなるためである。また、１５ｍｍを超えると大きすぎて人が痛みを感じるようになり、接触面が少なくなるため効果が弱くなり、適していないのである。
【００３４】  更に望ましくは、Ｄ＝４〜９ｍｍに構成するとその特徴は最も発揮されるベストモードとなる。
【００３５】  このような寸法とすることにより、使用時において後述するように、東洋医学で証明されているツボ押し効果や波動効果を発揮することができるのである。
該球体２の材質は、トルマリン、若しくはトルマリンの含有物、または磁石、若しくは磁石の含有物、または磁石とトルマリンの混合物から構成される。または炭、若しくは炭の含有物、またはそれらの上述の材料の２〜３種類の混合物により構成されている。
【００３６】  該球体２の更に望ましい構成においては、トルマリン若しくはトルマリンの含有物で構成されたものであって、それを詳説する。
【００３７】  トルマリンとは、「電気を持った石」と言われ、人間の身体から放出される熱エネルギーを吸収し、変換し再びエネルギー人体に戻す作用を有する。トルマリンの電流は０．０６〜０．０８ミリアンペアーで、人体とほぼ同じ微弱電流を発生し、半永久的に放出する、
その効果を示すと。
【００３８】（１）トルマリンは遠赤外線を放射し、それにより身体の深層部から細胞を温めて血行を良くする効果があり新陳代謝を活発化させ「冷え性対策」等に効果を発揮する。また、血流量を増加させることにより老廃物が排出され美肌効果が発揮される。
【００３９】（２）トルマリンはマイナスイオンを発生する。マイナスイオンとは、空気中の酸素に電子が結合して負に帯電したイオンで、自然界では、森林や滝の付近に存在し、その効果は、疲労回復や除菌・防カビ作用が認められている。通常リゾートなどの自然界には、プラスイオンは１平方センチ当たり５００個マイナスイオンは１平方センチ当たり１５００個くらい存在する。マイナスイオンが多くなると血液のペーハーは弱アルカリ性となり、新陳代謝が活発化し、細胞の活性化を促し、ストレスを減少する等、精神を安定化させ、疲労回復効果すなわち自己治癒力が高まる効果がある。また活性酸素を消去し、電磁波を受けても人体への悪影響を減らすことができる。
【００４０】  本発明の球体２には、これらの効果のあるトルマリン等を使用し、網状体３等で構成された網状健康具１を人体の表面に着装することにより上述した健康効果を顕著に発揮することができる。
【００４１】  また、東洋医学で認められているツボ押し効果を前記球体２により発揮させることができる。人間の身体には３６５のツボがあり、１２ある経路に沿って配列されている。ツボ治療では、「臓腑経路系による経穴理論」により、皮膚にいろいろな刺激を与えることで内臓の異常を整えることができるという効果を発揮するものである。これらは、外的ストレスにより、体調に不調をきたしたり、胃に穴が開くことが確認されており、それらを逆に利用するのが本発明の構成である。これらは東洋医学として、科学的に認められたもので、まさに自然法則を利用したものといえるのである。網状健康具１により球体２を人体に密着させると、上述した効果が発揮されるのである。
【００４２】  磁石もしくは磁石の含有物に関しても、トルマリンと同様の効果を得ることができ、磁場作用による効果が、多くの実例で証明されており、トルマリンに関する効果とほぼ同様であり、冗長を避けるため、説明は省略するが、その効果は同様に発揮することができる。
【００４３】  次に、網状体３の構成を詳説すると、網状体３の形状は、図１、図２に示すごとく球体２を表面側と裏面側にそれぞれはさんでおり、前述したように、該網状体３を構成する縦と横の紐部４で形成する開口の縦幅Ｂと横幅Ｗは、球体１の外径もしくはいずれかの幅寸法の平均値である相当直径Ｄに対し、（Ｄ×０．１）以上、（Ｄ×０．８）以下に構成されているため、紐部の形成する開口より、前記球体２は外側に抜け落ちないように構成されている。
【００４４】  これは紐部４の可撓性を考慮し、開口の縦幅Ｂと横幅Ｗが０．８×Ｄより大きすぎると球体２が抜け出てしまうため不適であり、また、縦幅Ｂと横幅Ｗが０．１×Ｄより小さすぎると通気性を阻害するため、かえって健康上良くないからである。
【００４５】  前記網状体３の紐部４の構成は、少なくとも１本以上〜数本の植物繊維、動物繊維、合成繊維、炭素繊維等、または合成樹脂成形品で製作されて織込み等により網状、ネット状に製作されており、その形は図１に示した交差状のほか亀甲状、より糸状等でも良い。
【００４６】  前記網状体３は、単に上述の紐部８の繊維等から構成されるだけでなく、それに対し炭若しくは炭の含有物、またはトルマリン若しくはトルマリン含有物、または磁石若しくは磁石の含有物、またはそれらの２〜３種類の混合物を含浸、または含有させることにより、構成することができる。
【００４７】  特に、望ましい構成においては、炭若しくは炭の含有物を含浸、または含有させることにより、炭の有する効果を、網状健康具１に対し、更に組合せ、相乗効果を発揮することができる。
【００４８】  炭は木炭、備長炭、竹炭、椰子ガラ炭等が用いられるが、この炭は、プラスイオンを吸収する効果があり、結果的にマイナスイオン効果を発揮することとなる。また炭は、その多孔質のため表面積が大きいため消臭効果や吸湿性に優れている。
更にトルマリンと同様、遠赤外線の放射率が高く前述の効果を与えることができる。遠赤外線やマイナスイオンの与える人体への効果に関しては、重複した説明を避け前述の効果を理解することができるので略記することとする。また抗菌性や防カビ効果も有している。
【００４９】  したがって、本発明の網状健康具１は、球体２の有する効果と網状体３の効果が組み合わさることにより、それぞれ単独で使用されるのに対し、マイナスイオンが相乗され、遠赤外線が相乗されることにより、それらが強化されあって働き、大きな効果が生まれることを発見することができたのである。加えて、トルマリン、磁石、炭について述べた効果的特長を組み合わせて球体２、および網状体３に適用することも、本発明の基本実施例に含まれるものである。
【００５０】  例えば、これらの相乗効果を高めるため、球体２に炭および炭の含有物を使用することも可能であり。更に前述した炭、トルマリン、または磁石の単独使用、若しくはそれぞれの２〜３種類の混合物としても良い。
【００５１】  網状体３に対しても同様に炭のほか、トルマリン粉、磁石粉、またはそれぞれの２〜３種類の混合物の含浸、または含有することにより構成することができ、同様の効果を発揮することができる。
【応用実施例】
【００５２】  図３〜図８に示すのは、本発明の網状健康具１を首部に使用する応用実施例を示すもので、図３は、本発明の首部への装着後の状態を示す斜視図であり、図４は本発明の装着のために首部に当接した状態を示す斜視図である。
【００５３】  図４に示すように、網状健康具１により構成された首用健康具１０の本体部１１を首部に密に当接し、左右の首紐部１２を首の後方部に引張って、首紐部１２の端部付近に取付けられた面ファスナー、ホック等の紐結合手段１３により図３に示すように首紐部１２を首に固定する。
【００５４】  次に、頭紐部１４は同様に頭部上方に引っ張られ、面ファスナー、ホック等の紐結合手段１５により、図３に示すよう頭紐部１４を頭上方に固定する。このように装着することにより本体部１１は、首の表面に密接され、ズレ落ちないように固定される。次に本発明の首用健康具１０の構造について説明する。
【００５５】  図５は該首用健康具１０の正面図であり、図６は右側面図または左側面図であり、図７は平面図、図８は、底面図を示すものである。
【００５６】  このように構成した首用健康具１０により、前述した基本実施例の有する効果を特に人体に影響力のある頭部に与えることができる極めて効果のある構成を提供することができる。首部には、頚動脈を始め、各種神経系、リンパ系が集中しており、基本実施例で述べた効果を最大に、発揮することができる。
【００５７】  更に加えて、首用健康具１０を巻きつけることにより、顎を持ち上げ口を閉ざす作用が起きるためいびきを防止する大きな効果がある。いびきは睡眠時、口を開くことにより、舌の根元が下がり、気道を塞いで起きるのである。顎を持ち上げることにより、口を閉じると口の中が陰圧となり、鼻呼吸となり、舌の根元が浮き上がって塞いでいた気道を開放することにより防ぐことができるのである。この効果は、今まで改善されてなかったいびき症の人、睡眠時無呼吸症候群の人等に、効果を発揮する。
【００５８】  更に加えて、該首用健康具１０は、女性にとっては、血行と新陳代謝の促進により、顔の肌の活性化を促す美容効果と、特に老化の目立つ首部のしわを伸ばす効果があり、健康と美容の両方に効果を発揮するものである。
【００５９】    ［変形実施例］
この発明は次のように変形して実施することを含むものである。
【００６０】（１）図９に示すように、腹部に腹部用健康具２０を、巻付けて同様の効果を発揮することができる。この場合は、球体２は胴体の全周にわたって配置しても良いし、腹部または背中部のみに配置しても良いし、腹部と背中部の両方に設け、球体２の使用数量を効果的に、節約することもできる。
【００６１】（２）更に、図９に示すように、腕、特に二の腕に腕用健康具２１を巻付けて、二の腕の脂肪を取り、スリムにする美容効果を得ることができる。
【００６２】（３）更に、図示してないが、頭部用健康具２２を、頭部に帽子状に配置することにより、頭部に対する前述した数種類の効果を与えることができ、特に頭皮の血行を、良くすることにより、脱毛防止、白髪防止の効果を与えることもできる。
【００６３】（４）更に図示してないが、足用健康具２３を、足の太腿部、足首部に、巻付けることにより同様の効果に加え疲労回復の効果を発揮することができる。
【００６４】（５）球体２は網状体３と縦糸５と横糸６とによって構成された袋状空間に２個以上収納し構成することができ、更に色々の材質の球体２を収納し構成することができる。
【産業上の利用可能性】
【００６５】  本発明の活用例としては、以上説明したように、人体のさまざまな箇所に基本実施例の構造を適用することにより、上述したような健康増進効果が発揮され、老人の健康増進・老化防止、女性の健康・美容効果・冷え症防止、男性の健康増進、子供の成育に効果があり、家庭、病院、介護施設、老人施設、学校等に幅広く利用することができる。
【図面の簡単な説明】
【００６６】
【図１】本発明の基本実施例の構造の部分拡大正面図である。
【図２】図１のＡ−Ａ断面を示す断面拡大図である。
【図３】首用健康具の首部への装着後の状態を示す斜視図である。
【図４】首用健康具を首部に当接した状態を示す斜視図である。
【図５】首用健康具の正面図である。
【図６】首用健康具の右側面図または左側面図である。
【図７】首用健康具の平面図である。
【図８】首用健康具の底面図である。
【図９】網状健康具を、腹部または腕部に着装した概略図である。
【符号の説明】
【００６７】１        網状健康具
２        球体
３        網状体
４        紐部
５        縦糸
６        横糸
７        縁カバー
８        縫合手段
１０      首用健康具
１１      本体部
１２      首紐部
１３，１５紐結合手段
１４      頭紐部
２０      腹部用健康具
２１      腕用健康具
【図１】
2005192953.tif 000003
【図２】
2005192953.tif 000004
【図３】
2005192953.tif 000005
【図４】
2005192953.tif 000006
【図５】
2005192953.tif 000007
【図６】
2005192953.tif 000008
【図７】
2005192953.tif 000009
【図８】
2005192953.tif 000010
【図９】
2005192953.tif 000011